(57)【要約】【課題】  ボルト及びナットの締付け又は緩め作業に使用する工具を提供する。【解決手段】  図５に示すように、Ｌ型保持具（１）の一方の底板部（１ａ）に、ボルト又はナットの六角対角未満の開口巾を持つ底板鰐口（１ｂ）を設け、その底板の外側面（１ｅ）に受け板（２）を設け、他方の保持具側壁部（１ｄ）には、側壁の内側面（１ｆ）に磁石（３）を装着し、側壁の外側面（１ｇ）に一方の天板部（４ａ）にボルト又はナットの六角対角以上の開口巾を持つ天板鰐口（４ｂ）を設け、他方の側壁部（４ｃ）に長穴（４ｄ）を設けたＬ型支持板（４）を蝶ボルト（５）で取付けることを特徴とするボルト又はナットの締付け及び緩め作業で用いる工具である。【選択図】  図５
2006315167.tif 000002
【特許請求の範囲】
【請求項１】
Ｌ型保持具の一方の底板部に、ボルト又はナットの六角対角未満の開口巾を持つ鰐口を設けることを特徴とする、ボルト又はナットの締付け及び緩め作業で用いる工具。
【請求項２】
前記Ｌ型保持具において、底板部の開口巾がボルト又はナットの六角対辺に嵌合することを特徴とする請求項１記載の工具。
【請求項３】
Ｌ型保持具の一方の底板部に、ボルト又はナットに嵌合する角穴を設けることを特徴とする、ボルト又はナットの締付け及び緩め作業で用いる工具。
【請求項４】
前記Ｌ型保持具において、底板部の外面にボルト又はナットの受け板を設けることを特徴とする請求項１〜３項のいずれかに記載の工具。
【請求項５】
前記Ｌ型保持具において、他方の側壁部の内側面に磁石を設けることを特徴とする請求項１〜４項のいずれかに記載の工具。
【請求項６】
前記Ｌ型保持具の側壁部に、一方の天板部にボルト又はナットの六角対角以上の開口巾を持つ鰐口を設け、締結具で取付けられたＬ型支持板を設けることを特徴とする請求項１〜５項のいずれかに記載の工具。
【請求項７】
前記締結具において、蝶ボルトを使用することを特徴とする請求項６記載の工具。
【請求項８】
前記締結具において、Ｌ型保持具の側壁部に中空口を持つブッシュを螺合し、その中空口を自由に出入りする滑り軸を持つハンドルを設け、その滑り軸の端面にストッパーを設け、ストッパーとブッシュの間にバネを装着したことを特徴とする請求項６記載の工具。
【請求項９】
前記Ｌ型支持板の他方の側壁部に、長穴を設けることを特徴とする請求項６項記載の工具。
【発明の詳細な説明】
【技術分野】
【０００１】  本発明は、フランジや鉄板を、ボルト及びナットで締付ける場合又は締付けられたボルト及びナットを緩める場合の作業で使用する工具に関するものである。
【背景技術】
【０００２】  ボルト又はナットを、スパナーやモンキーレンチ等の工具で締付け又は緩める作業では、ボルト及びナットが共に同方向に回転する（以下共廻りという）ことが多々ある。このような場合には、両手にスパナーやモンキーレンチ等の工具を持ち、一方を固定しながら共廻りを防止するか、あるいはボルト頭部又はナットの一方を、他の人にスパナーやモンキーレンチ等の工具で固定してもらい、共廻りを防止していた。
【発明の開示】
【発明が解決しようとする課題】
【０００３】  そのために、次のような問題点があった。
（イ）一人での作業では、片手による回転作業となり、比較的小さなボルトサイズに限定される。
（ロ）大きなボルトサイズの場合は、二人での作業となり生産性が低下する。
（ハ）ボルト又はナットを緩めているときに、ボルト又はナットが抜け落ちることがあり、特に高所での作業では危険を伴う。
本発明は、これらの問題点を解決するためのものである。
【課題を解決するための手段】
【０００４】（イ）Ｌ型保持具の一方の底板部に、ボルト又はナットの六角対角未満の開口巾を持つ鰐口を設ける。
（ロ）前記Ｌ型保持具において、底板部の開口巾がボルト又はナットの六角対辺に嵌合することが好ましい。
（ハ）Ｌ型保持具の一方の底板部に、ボルト又はナットに嵌合する角穴を設ける。
（二）前記Ｌ型保持具において、底板部の外面にボルト又はナットの受け板を設けることが好ましい。
（ホ）前記Ｌ型保持具において、他方の側壁部の内側面に磁石を設けることが好ましい。
（ヘ）前記Ｌ型保持具の側壁部に、一方の天板部にボルト又はナットの六角対角以上の開口巾を持つ鰐口を設け、締結具で取付けられたＬ型支持板を設けることが好ましい。
（ト）前記締結具において、蝶ボルトを使用することが好ましい。
（チ）前記締結具において、Ｌ型保持具の側壁部に中空口を持つブッシュを設け、その中空口を自由に出入りする滑り軸の下端にストッパーを設け、ストッパーとブッシュの間にバネを設けたハンドルを使用することが好ましい。
（リ）前記Ｌ型支持板の他方の側壁部に、長穴を設けることが好ましい。
以上を特徴とするボルト又はナットの締付け及び緩め作業で用いる工具である。
【発明の効果】
【０００５】  大きなボルトサイズでも一人で作業ができ、さらにボルト又はナットの抜け落ちも防止することができるため、きわめて安全な作業ができる。
【発明を実施するための最良の形態】  以下、本発明の実施の形態について説明する。【０００６】（イ）図１に示すように、Ｌ型保持具（１）の一方の底板部（１ａ）に、ボルト又はナットの六角対角未満の開口巾を持つ底板鰐口（１ｂ）を設ける。
（ロ）図２に示すように、Ｌ型保持具（１）の一方の底板部（１ａ）に、ボルト又はナットに嵌合する角穴（１ｃ）を設ける。【０００７】（ハ）図３及び図４に示すように、Ｌ型保持具（１）の底板の外側面（１ｅ）にボルト又はナットが抜脱しても、落下を防止するための受け板（２）を設け、他方の保持具側壁部（１ｄ）には、側壁の内側面（１ｆ）にＬ型保持具（１）を被締結部の側面に吸着させて、落下を防止するための磁石（３）を装着し、側壁の外側面（１ｇ）に磁石（３）の磁力低下等が発生したり、磁力の効果のない被締結部材に使用するときにも、Ｌ型保持具（１）が落下しないように、蝶ボルト（５）で取付けられたＬ型支持板（４）を設ける。
このときＬ型支持板（４）は、一方の天板部（４ａ）にボルト又はナットの六角対角以上の開口巾を持つ天板鰐口（４ｂ）を設け、他方の支持板側壁部（４ｃ）に長穴（４ｄ）を設け、Ｌ型保持具（１）の底板部（１ａ）とＬ型支持板（４）の天板部（４ａ）で、被締結部の両端をつかんだ状態で支持するように取付ける。【０００８】（二）また、Ｌ型支持板（４）をＬ型保持具（１）の側壁の外側面（１ｇ）に取付ける際、蝶ボルト（５）の代わりに、図５，図６，図７及び図８に示すように、バネ（７）を内装したハンドル（６）を用いてもよい。
本発明は以上のような構成になっており、以下、この使用方法について図９を参照にして説明する。【０００９】（ホ）ボルト及びナットを締付けるときは、Ｌ型保持具（１）の側壁の外側面（１ｇ）にＬ型支持板（４）の支持板側壁部（４ｃ）を添わせ、その長穴（４ｄ）から蝶ボルト（５）をＬ型保持具（１）の側壁の外側面（１ｇ）にねじ込み、Ｌ型支持板（４）が上下動できるように仮固定し、Ｌ型支持板（４）を限界まで引き上げておく。
（ヘ）予め手で締付けられた六角ナット（１１）の対辺に、Ｌ型保持具（１）の底板鰐口（１ｂ）を嵌合させ、その側壁の内側面（１ｆ）がフランジ（１２ａ）又は（１２ｂ）の側面に当接するまでさし込み、磁石（３）によりＬ型保持具（１）をフランジ（１２ａ）又は（１２ｂ）の側面に吸着させる。
（ト）Ｌ型保持具（１）の底板部（１ａ）とＬ型支持板（４）の天板部（４ａ）で、フランジ（１２ａ）と（１２ｂ）の両端面をつかんだ状態で支持するようにＬ型支持板（４）を下動させた後、蝶ボルト（５）で固定する。
（チ）次に、スパナー（１３）を六角ボルト（１０）の対辺に嵌合させ、六角ボルト（１０）を締付ける。このとき、六角ボルト（１０）と六角ナット（１１）が共廻りしても、Ｌ型保持具（１）の側壁内側の左端面（１ｈ）がフランジ（１２ａ）又は（１２ｂ）の側面に当たり、六角ナット（１１）の回転が抑止されるため、共廻りすることなく六角ボルト（１０）の締付けができる。【００１０】（リ）ボルト及びナットを緩めるときは、Ｌ型保持具（１）の側壁の外側面（１ｇ）にＬ型支持板（４）の支持板側壁部（４ｃ）を添わせ、その長穴（４ｄ）から蝶ボルト（５）をＬ型保持具（１）の側壁の外側面（１ｇ）にねじ込み、Ｌ型支持板（４）が上下動できるように仮固定し、Ｌ型支持板（４）を限界まで引き上げておく。
（ヌ）すでに締結されている六角ナット（１１）の対辺に、Ｌ型保持具（１）の底板鰐口（１ｂ）を嵌合させ、その側壁の内側面（１ｆ）がフランジ（１２ａ）又は（１２ｂ）の側面に当接するまでさし込み、磁石（３）によりＬ型保持具（１）をフランジ（１２ａ）又は（１２ｂ）の側面に吸着させる。
（ル）Ｌ型保持具（１）の底板部（１ａ）とＬ型支持板（４）の天板部（４ａ）で、フランジ（１２ａ）と（１２ｂ）の両端面をつかんだ状態で支持するようにＬ型支持板（４）を下動させた後、蝶ボルト（５）で固定する。
（ヲ）次に、スパナー（１３）を六角ボルト（１０）の対辺に嵌合させ、六角ボルト（１０）を緩める。このとき、六角ボルト（１０）と六角ナット（１１）が共廻りしても、Ｌ型保持具（１）の側壁内側の右端面（１ｉ）がフランジ（１２ａ）又は（１２ｂ）の側面に当たり、六角ナット（１１）の回転が抑止されるため、共廻りすることなく六角ボルト（１０）を緩めることができる。
このとき、六角ボルト（１０）から抜脱された六角ナット（１１）は、Ｌ型保持具（１）の受け板（２）の上に乗り、Ｌ型保持具（１）をフランジ（１２ａ）又は（１２ｂ）から離脱することで、落下することもなく取りだせる。【００１１】（ワ）Ｌ型支持板（４）をＬ型保持具（１）の側壁の外側面（１ｇ）に取付ける際、蝶ボルト（５）の代わりにハンドル（６）を使用するときは、図７に示すように、Ｌ型保持具（１）に取付けられたハンドル（６）を想像線の位置に置き、Ｌ型支持板（４）の長穴（４ｄ）を嵌入させた後、ハンドル（６）を引っ張り、９０度回転させて固定する。【００１２】  また、
（カ）図１０及び図１１に示すように、Ｌ型保持具（１）の側壁の内側面（１ｆ）を、被締結部の側面形状に添うような形状面にすることにより、磁石（３）の吸着力が向上する。
（ナ）図１２及び図１３に示すように、Ｌ型保持具（１）の側壁の外側面（１ｇ）に、Ｌ型支持板（４）の支持板側壁部（４ｃ）が嵌合する溝部（１ｊ）を設けることにより、Ｌ型支持板（４）の回転が抑止され、安定した上下動ができる。
【図面の簡単な説明】
【００１３】
【図１】  第１の実施形態に係わる工具の斜視図
【図２】  第２の実施形態に係わる工具の斜視図
【図３】  第３の実施形態に係わる工具の斜視図
【図４】  第４の実施形態に係わる工具の斜視図
【図５】  第５の実施形態に係わる工具の斜視図
【図６】  第６の実施形態に係わる工具の斜視図
【図７】  第５の実施形態の側面図
【図８】  第５の実施形態の図７におけるＡ−Ａ断面の拡大図
【図９】  第３の実施形態の使用状態を示す斜視図
【図１０】  第１の実施形態に係わる変形例の斜視図
【図１１】  第２の実施形態に係わる変形例の斜視図
【図１２】  第３の実施形態に係わる変形例の斜視図
【図１３】  第４の実施形態に係わる変形例の斜視図
【符号の説明】
【００１４】１      Ｌ型保持具
１ａ    底板部
１ｂ    底板鰐口
１ｃ    角穴
１ｄ    保持具側壁部
１ｅ    底板の外側面
１ｆ    側壁の内側面
１ｇ    側壁の外側面
１ｈ    側壁内側の左端面
１ｉ    側壁内側の右端面
１ｊ    溝部
２      受け板
３      磁石
４      Ｌ型支持板
４ａ    天板部
４ｂ    天板鰐口
４ｃ    支持板側壁部
４ｄ    長穴
５      蝶ボルト
６      ハンドル
７      バネ
８      ブッシュ
９      ストッパー
１０    六角ボルト
１１    六角ナット
１２ａ  フランジ
１２ｂ  フランジ
１３    スパナー
【図１】
2006315167.tif 000003
【図２】
2006315167.tif 000004
【図３】
2006315167.tif 000005
【図４】
2006315167.tif 000006
【図５】
2006315167.tif 000007
【図６】
2006315167.tif 000008
【図７】
2006315167.tif 000009
【図８】
2006315167.tif 000010
【図９】
2006315167.tif 000011
【図１０】
2006315167.tif 000012
【図１１】
2006315167.tif 000013
【図１２】
2006315167.tif 000014
【図１３】
2006315167.tif 000015